(57)【要約】【課題】複数の粉粒体供給装置を備え、複数種の粉粒体を共通の作溝器へ供給する苗植付装置の全体を、自走車体側から昇降作動させる際の重量軽減を図る。【解決手段】苗のせ台２０の前方側に配備された第１粉粒体供給装置と、苗のせ台２０の後方側に配備された第２粉粒体供給装置と、第１，第２粉粒体供給装置から供給される粉粒体の田面に対する供給位置が、泥表面への露呈を回避可能な深さ位置となるように供給する粉粒体埋入手段３４とを備え、第１粉粒体供給装置からの粉粒体を搬送する第１搬送路３３と、第２粉粒体供給装置からの粉粒体を搬送する第２搬送路４３とで搬送される粉粒体同士が合流する合流搬送路３５とを備えて、合流搬送路３５から共通の粉粒体埋入手段３４に粉粒体を供給する。【選択図】図３
2015112072.tif 000002
【特許請求の範囲】
【請求項１】
苗のせ台を備えた苗植付装置が自走車体の後部に配備されているとともに、
前記苗のせ台の前方側に配備された第１粉粒体供給装置と、
前記苗のせ台の後方側に配備された第２粉粒体供給装置と、
前記第１，第２粉粒体供給装置から供給される粉粒体の田面に対する供給位置が、泥表面への露呈を回避可能な深さ位置となるように供給する粉粒体埋入手段とを備え、
前記第１粉粒体供給装置から供給される粉粒体を搬送する第１搬送路と、
前記第２粉粒体供給装置から供給される粉粒体を搬送する第２搬送路と、
前記第１搬送路と前記第２搬送路とで搬送される粉粒体同士が合流する合流搬送路とを備えて、
前記合流搬送路から共通の前記粉粒体埋入手段に粉粒体が供給されるように構成されている田植機。
【請求項２】
前記第１搬送路と前記第２搬送路とが、前記苗のせ台の下側位置で前記合流搬送路に接続されている請求項１記載の田植機。
【請求項３】
前記粉粒体埋入手段は、前記苗のせ台の下方に配備された整地用フロートに装備されたものである請求項１又は２記載の田植機。
【請求項４】
前記粉粒体埋入手段は、泥中に埋入用溝を形成する作溝部分と、その作溝部分の上部に接続された蛇腹管状部分とを備え、この蛇腹管状部分によって前記合流搬送路が構成されている請求項１〜３のいずれか一項記載の田植機。
【請求項５】
前記第１粉粒体供給装置には、前記第１搬送路に搬送風を供給する送風装置が備えられ、
前記第１搬送路は前記合流搬送路との接続箇所付近における搬送風の流れ方向が下向きであるように配備され、前記第２搬送路においても前記合流搬送路との接続箇所付近が下向きであるように配備されている請求項１〜４のいずれか一項記載の田植機。
【請求項６】
前記第１粉粒体供給装置は、前記苗植付装置を昇降自在に支持する自走車体に搭載されている請求項１〜５のいずれか一項記載の田植機。
【請求項７】
前記第１粉粒体供給装置は、前記第２粉粒体供給装置よりも容量の大きなもので構成されている請求項６記載の田植機。
【発明の詳細な説明】
【技術分野】
【０００１】
本発明は、苗のせ台の他に、複数種の粉粒体を各別に収容可能で、かつ各別に繰り出し供給可能な粉粒体供給装置と、それらの粉粒体供給装置から供給される粉粒体の田面に対する供給位置が、泥表面への露呈を回避可能な深さ位置となるように供給する粉粒体埋入手段とを備えた田植機に関する。
【背景技術】
【０００２】
上記のような複数種の粉粒体を各別に収容可能で、かつ各別に繰り出し供給可能な粉粒体供給装置と、それらの粉粒体供給装置から供給される粉粒体の田面に対する供給位置が、泥表面への露呈を回避可能な深さ位置となるように供給する粉粒体埋入手段とを備えた田植機としては、下記［１］、又は［２］に記載の構造のものがある。
［１］複数種の粉粒体を各別に収容可能で、かつ各別に繰り出し供給可能な複数の粉粒体供給装置を、苗植付装置における苗のせ台の後方側に配設して、それぞれの粉粒体供給装置毎に備えた個別の作溝器に対して粉粒体を落下供給するように構成したもの（特許文献１参照）。
［２］複数種の粉粒体を各別に収容可能で、かつ各別に繰り出し供給可能な複数の粉粒体供給装置を、苗植付装置における苗のせ台の後方側に配設して、一方の粉粒体供給装置から繰り出された粉粒体を、他方の粉粒体供給装置のロート部に供給して、共通の肥料流下路を介して共通の作溝器へ供給するように構成したもの（特許文献２参照）。
【先行技術文献】
【特許文献】
【０００３】
【特許文献１】特許第２５４８４５６号公報（段落番号「００１１」、「００１２」、図１参照）
【特許文献２】特許第２６１３７００号公報（段落番号「００１０」、「００１１」、図１、図２参照）
【発明の概要】
【発明が解決しようとする課題】
【０００４】
上記［１］に記載した従来の技術では、それぞれの粉粒体供給装置から繰り出された粉粒体を個別の作溝器に対して落下供給するものであるため、圃場に多くの作溝器の通過跡が生じ、圃場面に多くの凹凸部分が残る点で改善の余地がある。
また、上記［２］に記載した従来の技術では、複数の粉粒体供給装置から各別に繰り出される複数種の粉粒体を、共通の作溝器へ供給するものであるから、圃場に形成される作溝器の通過跡を少なくできる点で有利なものである。しかしながら、この構造のものにおいても、複数の粉粒体供給装置のいずれもが苗のせ台の後方側に配設されているため、苗植付装置の後方側における重量が大きくなる傾向がある。このため、複数の粉粒体供給装置を含めた苗植付装置の全体を自走車体側から昇降作動させる際の重量が大きくなり易い傾向があり、この点で改善の余地がある。
【０００５】
本発明は、複数の粉粒体供給装置を備え、複数種の粉粒体を共通の作溝器へ供給するように構成されている苗植付装置の全体を、自走車体側から昇降作動させる際の重量の軽減を図るものである。
【課題を解決するための手段】
【０００６】
上記目的を達成するために講じた本発明における田植機の技術手段は、次の点に構成上の特徴、及び作用効果がある。
【０００７】
〔解決手段１〕
上記課題を解決するために講じた本発明の技術手段は、苗のせ台を備えた苗植付装置が自走車体の後部に配備されているとともに、前記苗のせ台の前方側に配備された第１粉粒体供給装置と、前記苗のせ台の後方側に配備された第２粉粒体供給装置と、前記第１，第２粉粒体供給装置から供給される粉粒体の田面に対する供給位置が、泥表面への露呈を回避可能な深さ位置となるように供給する粉粒体埋入手段とを備え、前記第１粉粒体供給装置から供給される粉粒体を搬送する第１搬送路と、前記第２粉粒体供給装置から供給される粉粒体を搬送する第２搬送路と、前記第１搬送路と前記第２搬送路とで搬送される粉粒体同士が合流する合流搬送路とを備えて、前記合流搬送路から共通の前記粉粒体埋入手段に粉粒体が供給されるように構成されていることである。
【０００８】
〔解決手段１にかかる発明の作用及び効果〕
上記解決手段１にかかる発明によると、複数種の粉粒体供給装置のうちの第１粉粒体供給装置は苗のせ台の前方側に配備され、第２粉粒体供給装置が苗のせ台の後方側に配備されている。このため、自走車体側から苗植付装置を昇降作動させる際に、苗のせ台よりも遠い後方側に複数種の粉粒体供給装置の全部が配置されている構造のものに比べて、第１粉粒体供給装置が苗のせ台の前方側に配備されている分、複数種の粉粒体供給装置を含めての苗植付装置を昇降作動させる際の重量が軽減される。
したがって、自走車体と苗植付装置とを含めた機体全体における前後方向での重量バランスが後方寄りに偏る傾向を少なくし、機体の前後バランスが改善される利点がある。
【０００９】
〔解決手段２〕
上記課題を解決するために講じた本発明の他の技術手段は、前記第１搬送路と前記第２搬送路とが、前記苗のせ台の下側位置で前記合流搬送路に接続されていることである。
【００１０】
〔解決手段２にかかる発明の作用及び効果〕
上記の解決手段２にかかる発明によると、第１粉粒体供給装置から供給される粉粒体を搬送する第１搬送路と、第２粉粒体供給装置から供給される粉粒体を搬送する第２搬送路とが合流する合流搬送路は苗のせ台の下側位置である。
したがって、上記の第１搬送路や第２搬送路、あるいは合流搬送路の存在によって苗のせ台の横移動が妨げられる虞がない。また、泥面からの距離が極短いところの、苗のせ台の下側位置での合流であるから、例えば合流後に長い距離を流下する場合のように、合流後の粉粒体同士の混入割合が泥面に到達するまでの間で変化してしまうような虞も少ない点で有利である。
【００１１】
〔解決手段３〕
上記課題を解決するために講じた本発明の他の技術手段は、前記粉粒体埋入手段は、前記苗のせ台の下方に配備された整地用フロートに装備されたものであるということである。
【００１２】
〔解決手段３にかかる発明の作用及び効果〕
上記の解決手段３にかかる発明によると、粉粒体埋入手段は、前記苗のせ台の下方に配備された整地用フロートに装備されている。したがって、泥面の凹凸に追随するように整地用フロートが多少上下作動しても、粉粒体埋入手段も整地用フロートとともに泥面に対して上下作動するので、泥面に対する粉体埋入手段の機能を安定した状態に維持し得る利点がある。
【００１３】
〔解決手段４〕
上記課題を解決するために講じた本発明の他の技術手段は、前記粉粒体埋入手段は、泥中に埋入用溝を形成する作溝部分と、その作溝部分の上部に接続された蛇腹管状部分とを備え、この蛇腹管状部分によって前記合流搬送路が構成されているということである。
【００１４】
〔解決手段４にかかる発明の作用及び効果〕
上記の解決手段４にかかる発明によると、作溝部分の上下移動を許容するように蛇腹状に形成された蛇腹管状部分によって合流搬送路が構成されている。この蛇腹管状部分は、その内径も前後方向に幅の広い作溝部分の大きさなどに応じて、第１搬送路や第２搬送路よりも幅広に形成される傾向にある。
したがって、必然的に幅広に形成される傾向にある蛇腹管状部分を有効に利用して幅広の合流搬送路を設けることができるという利点がある。
【００１５】
〔解決手段５〕
上記課題を解決するために講じた本発明の他の技術手段は、前記第１粉粒体供給装置には、前記第１搬送路に搬送風を供給する送風装置が備えられ、前記第１搬送路は前記合流搬送路との接続箇所付近における搬送風の流れ方向が下向きであるように配備され、前記第２搬送路においても前記合流搬送路との接続箇所付近が下向きであるように配備されているということである。
【００１６】
〔解決手段５にかかる発明の作用及び効果〕
上記の解決手段５にかかる発明によると、第１搬送路に搬送風を供給する送風装置が備えられ、その第１搬送路でも、第２搬送路においても、合流搬送路との接続箇所付近における搬送風の流れ方向が下向きであるように配備されている。したがって、第１搬送路に供給された搬送風は、第１搬送路で粉粒体を搬送風に乗せて搬送するとともに、合流搬送路との接続箇所付近で同様に下向きである第２搬送路で搬送される粉粒体に対する引き出し方向での吸引作用を与えられる。その結果、第１、第２の各搬送路での粉粒体の詰まり発生を回避し易いという利点がある。
【００１７】
〔解決手段６〕
上記課題を解決するために講じた本発明の他の技術手段は、前記第１粉粒体供給装置は、前記苗植付装置を昇降自在に支持する自走車体に搭載されていることである。
【００１８】
〔解決手段６にかかる発明の作用及び効果〕
上記の解決手段６にかかる発明によると、第１粉粒体供給装置は自走車体に搭載されているので、その重量が苗植付装置を昇降作動させる際の重量に付加されることがない。したがって、粉粒体供給装置を含めての苗植付装置を昇降作動させるための昇降作動装置の小型化を図り得る利点がある。
【００１９】
〔解決手段７〕
上記課題を解決するために講じた本発明の他の技術手段は、前記第１粉粒体供給装置は、前記第２粉粒体供給装置よりも容量の大きなもので構成されているということである。
【００２０】
〔解決手段７にかかる発明の作用及び効果〕
上記の解決手段７にかかる発明によると、容量の大きな第１粉粒体供給装置を自走車体に搭載することにより、より一層、粉粒体供給装置を含めての苗植付装置を昇降作動させるための昇降作動装置を小型化し易い点で有利である。
【図面の簡単な説明】
【００２１】
【図１】田植機の全体を示す側面図である。
【図２】田植機の後部を示す平面図である。
【図３】薬剤供給装置及び粉粒体埋入手段を示す側面図である。
【図４】薬剤供給装置部分を示す後面図である。
【図５】整地用フロート部分を示す平面図である。
【図６】粉粒体の合流箇所付近を示す断面図である。
【発明を実施するための形態】
【００２２】
以下、本発明における田植機の実施の形態の一例を図面の記載に基づいて説明する。
〔田植機の全体構成〕
図１は、本発明に係る田植機の全体を示す側面図である。図１に示すように、本発明に係る田植機は、車体フレーム１０の前部が左右一対の前輪１１Ｆで支持され、後部が左右一対の後輪１１Ｒで支持された自走車体１を備えている。この自走車体１の後部に、リンク機構１２を介して苗植付装置２が上下位置変更可能に支持されて、乗用型田植機が構成されている。
【００２３】
自走車体１の前部にエンジン（図示せず）を内装した原動部１３が設けられ、その原動部１３の後方側に、ステアリングハンドル１４を備えた操縦部、及び運転座席１５が配備され、運転座席１５の後方側に、粉粒体供給装置としての施肥装置３（第１粉粒体供給装置に相当する）が配設されている。
前記原動部１３の左右両側で横方向に離れた位置に予備苗のせ台１６が配設され、予備苗のせ台１６に搭載された予備苗を取り出して、自走車体１上から後方の苗植付装置２の苗のせ台２０に苗補給可能に構成してある。前記リンク機構１２は、機体後部に設けた油圧シリンダ１７の伸縮作動にともなって上下揺動可能に構成してある。
苗植付装置２は、リンク機構１２が油圧シリンダ１７によって車体フレーム１０に対して上下に揺動操作されることにより、整地用フロート２７が圃場泥土に接地した下降作業状態と、整地用フロート２７が圃場泥土から高く上昇した上昇非作業状態とに昇降操作される。
苗植付装置２の後部側には、施肥装置３とは別の粉粒体供給装置としての施薬装置４（第２粉粒体供給装置に相当する）が配設されている。
【００２４】
〔苗植付装置〕
苗植付装置２は、図１及び図３に示すように、リンク機構１２の後端部にフィードケース２１が支持され、フィードケース２１から左右横向きに延出された横フレーム２２の後面側に、後向きに片持ち状で伝動ケース２３が延出されている。この伝動ケース２３の上部に苗のせ台２０が支持されている。
フィードケース２１から横方向に周知の横送り軸（図外）が延出され、この横送り軸と苗のせ台２０とが連係されて、横送り軸の回転駆動に伴って苗のせ台２０が横方向に往復移動するように構成されている。伝動ケース２３の後部には植付ケース２４が回転自在に支持され、植付ケース２４に、植付爪２５ａを備えた一対の植付アーム２５（苗植付機構に相当する）が支持されている。
【００２５】
図２に示されているように、苗のせ台２０には、一条分のマット状苗を載置するように壁状の仕切り部２０ｂで４箇所に区画された苗載置部２０ａが設けられて４条植え用に構成されている。苗載置部２０ａは前方上方から後方下方に向かう傾斜面に形成された苗のせ面２Ａを備えている。そして区画された各苗載置部２０ａには、それぞれ左右一対のベルト駆動式の苗縦送り装置２６が備えられている。
この苗縦送り装置２６は、苗のせ台２０が往復横送り駆動のストロークエンドに達すると、苗載置部２０ａに載置されている苗が下端の苗取り出し口２０ｃ側に向けて所定量だけ送られるように、縦送りベルト２６ａを駆動して苗を縦送りするように構成された周知の構造のものである。
【００２６】
図３乃至図５に示すように、苗植付装置２の下部には整地用フロート２７が配設されている。
この整地用フロート２７は、フィードケース２１の下部に位置するセンターフロート２７Ｃと、センターフロート２７Ｃの右及び左の横外側に所定間隔を隔てて位置するサイドフロート２７Ｒ，２７Ｌとを備えたものである。整地用フロート２７では、センターフロート２７Ｃの左右方向での中心線ＣＬよりも横外側に離れた位置の左右両側部に整地部２７Ｃａ，２７Ｃａが形成され、各サイドフロート２７Ｒ，２７Ｌの左右方向での中央部に整地部２７Ｒａ，２７Ｌａが形成されている。
【００２７】
そして、センターフロート２７Ｃの左右両側部に形成されている整地部２７Ｃａ，２７Ｃａが存在する箇所よりも中央側に寄った箇所に、後述する粉粒体供給装置の粉粒体埋入手段としての左右一対の作溝器３４，３４（作溝部分に相当する）が設けられ、各サイドフロート２７Ｒ，２７Ｌの整地部２７Ｒａ，２７Ｌａが存在する箇所よりも横外側箇所にも同様な作溝器３４，３４が備えられている。
これらの各作溝器３４，３４の後方側には、各作溝器３４，３４で形成される泥面の形成溝を埋め戻すための覆土体２８が、各作溝器３４，３４が取り付けられた箇所よりも後方側で各整地用フロート２７に装備されている。各覆土体２８は、作溝器３４が泥面に溝を形成する際に、作溝器３４で左右に押し退けられて溝の左右両側に盛り上がった泥土を、機体進行に伴って横側方へ押し、泥面に形成されている溝内に泥土を押し込んで埋め戻すように取り付けられたものである。
【００２８】
上記の構造により、横送り軸が回転駆動されて苗のせ台２０が横方向に往復横送り駆動され、植付ケース２４が回転駆動されて、植付アーム２５が苗のせ台２０の苗載置部２０ａの下部の苗取り出し口２０ｃから苗を取り出して田面に植え付けるように構成されている。そして、苗のせ台２０が往復横送り駆動のストロークエンドに達すると、苗のせ台２０の苗載置部２０ａの苗が苗縦送り装置２６により下方に所定量だけ縦送りされ、再び苗取り出し口２０ｃからの苗の取り出しが可能な状態になる。
前記作溝器３４で泥面に形成される溝は、植付アーム２５による苗植付箇所の横側方に少しずれた箇所に位置する。
【００２９】
〔粉粒体供給装置〕
粉粒体供給装置は、図１及び図２に示すように、運転座席１５の後側に肥料を貯留する肥料タンク３０を設けた施肥装置３（第１粉粒体供給装置に相当する）と、苗植付装置２における苗のせ台２０の後方側に薬剤タンク４０を設けた施薬装置４（第２粉粒体供給装置に相当する）とを備えている。
【００３０】
〔施肥装置〕
施肥装置３は、粉粒体である肥料を貯留するように車体横方向に長い形状に形成された一つの肥料タンク３０を備えるとともに、その肥料タンク３０の下側に位置して、肥料タンク３０内の肥料を所定量ずつ繰り出す二つの繰出機構３１とを備えている。さらに、繰り出された肥料を搬送風に乗せて風力搬送するための送風装置３２と、繰り出された粉粒体を供給対象箇所へ案内する４本の供給ホース３３（第１搬送路に相当する）と、供給された粉粒体を泥面に形成した溝へ供給するための４箇所の作溝器３４と、前記各供給ホース３３と各作溝器３４とを繋ぐ蛇腹管３５（合流搬送路に相当する）とを備えている。
【００３１】
前記肥料タンク３０及び繰出機構３１は、運転座席１５の後側で自走車体１に備えた支持台（図示せず）上に固定されている。繰出機構３１の下部前側で粉粒体繰り出し箇所に連なるように、送風装置３２の送風ダクト３２Ａが設けられている。
各繰出機構３１の後部側には、それぞれ２本の供給ホース３３が接続されていて、送風装置３２で発生させた風に乗せて、繰出機構３１から繰り出された粉粒体を、各供給ホース３３から各作溝器３４へ向けて風力搬送するように構成されている。
送風装置３２の吸気ダクト３２Ｂは、エンジンＥの付近に延出してあり、エンジンＥの放熱などによって温度上昇した空気を吸引して搬送風を発生させる。この送風装置３２は電動モータ３２Ｃで駆動されるように構成してある。
【００３２】
繰出機構３１は、周知の繰り出しロール（図示せず）を駆動する繰り出し駆動軸（図示せず）が、揺動アーム３６の所定角度範囲内での往復揺動作動により、間欠的に粉粒体を繰り出すように構成されている。つまり、揺動アーム３６の所定角度範囲内での往復揺動作動により、図示しない一方向回転機構を介して繰り出しロールを一定方向に回転させることにより、肥料タンク３０内の肥料を所定量づつ繰り出し供給するように構成されている。
揺動アーム３６の往復揺動運動は、次のようにして行われる。図１に示すように、自走車体１側から苗植付装置２に伝達する動力取り出し軸１８に対してエンジン動力を伝える伝動軸（図示せず）と連動する施肥出力軸３７が、自走車体１の横側部に突設されている。その施肥出力軸３７に備えた回転アーム３７ａに、連係ロッド３８の一端側が連結され、施肥出力軸３７の回転運動が連係ロッド３８の長手方向での往復運動に変換される。連係ロッド３８の他端側が揺動アーム３６に連結されていて、施肥出力軸３７の回転にともなって揺動アーム３６が所定角度範囲内で往復揺動作動される。
したがって、施肥装置３の繰出機構３１は、苗植付装置２による苗植付作動中に肥料を作溝器３４側へ供給し、苗植付装置２による苗植付作動が停止されると、施肥装置３の繰出機構３１による肥料の繰り出しも停止される。
【００３３】
〔施薬装置〕
施薬装置４は、前記施肥装置３で供給される肥料とは別種の粉粒体である病虫害防除用薬剤などの粉粒体を供給するものであり、左右一対の薬剤タンク４０と、各薬剤タンク４０の下側に設けた４個の薬剤繰り出し部４１と、薬剤繰り出し部４１の下部から下向きに延出した４本の薬剤供給筒４３（第２搬送路に相当する）とを備えている。
この施薬装置４は、図４及び図６に示すように、苗植付装置２の伝動ケース２３の上側にボルト止めしたブラケット４５に取り付けた支持杆４６を介して、横長の横架支持体４７に各薬剤繰り出し部４１が固定されることにより、苗のせ台２０の後方側に配設されている。
【００３４】
薬剤繰り出し部４１は、図３及び図４に示すように、周知の繰り出しロール（図示せず）を駆動する繰り出し駆動軸４２が、植付ケース２４の回転運動に伴って所定角度ずつ回転されるように構成してある。
繰り出し駆動軸４２には、その繰り出し駆動軸４２との間に、図示しない一方向回転機構を介して揺動アーム４２ａが設けられていて、揺動アーム４２ａの往復揺動に伴って繰り出し駆動軸４２が一定方向に回転駆動されるように構成されている。この揺動アーム４２ａが駆動機構４４を介して植付ケース２４に連係されている。
【００３５】
駆動機構４４は、次のように構成されている。つまり、植付ケース２４との間に植付アーム２５を挟み込む状態で、植付ケース２４と一体回動するように取り付けた動力取り出し体４４ａと、その動力取り出し体４４ａと前記揺動アーム４２ａとの間を連結する連係ロッド４４ｂとを備えている。
連係ロッド４４ｂの一端側は、動力取り出し体４４ａの回転中心から少し離れた位置に、球継ぎ手を介して連結され、他端側は鍵型に屈曲されて揺動アーム４２ａの連結箇所に挟み込まれた状態で連結されている。この揺動アーム４２ａ側での連係ロッド４４ｂの連結位置は、繰り出し駆動軸４２の軸中心に対する遠近方向で位置変更可能である。したがって、連結位置を繰り出し駆動軸４２の軸中心に近づけると、植付ケース２４の一回転あたりにおける繰り出し駆動軸４２の揺動角度範囲が大きくなり、逆に、連結位置を繰り出し駆動軸４２の軸中心から遠ざけると、植付ケース２４の一回転あたりにおける繰り出し駆動軸４２の揺動角度範囲が小さくなる。これによって、植付ケース２４の一回転あたりにおける繰り出しロールの回転角を変化させて、粉粒体の繰り出し量を変更することができる。
【００３６】
薬剤供給筒４３は、薬剤繰り出し部４１に連なる硬質パイプ製の上部筒４３ａと、その上部筒４３ａの下端側に連なる軟質の可撓性ホースからなる下部筒４３ｂとを備えている。図３及び図６に示すように、下部筒４３ｂの下端側は、苗のせ台２０の下側で、施肥装置３の各供給ホース３３と各作溝器３４とを繋ぐ蛇腹管３５の上部に連通する状態で一体に接続されている。
蛇腹管３５の上部では、各供給ホース３３も、下部筒４３ｂもほぼ下向きに近い状態で接続されており、各供給ホース３３内を流れる搬送風の向きも下向きとなるように構成されている。
また、各供給ホース３３も、下部筒４３ｂも軟質の可撓性ホースによって構成されているので、整地用フロート２７が後端側の揺動支点周りで先端側を上下揺動して、作溝器３４の上下位置が変化したとき、供給ホース３３も下部筒４３ｂも自身の可撓性によって屈撓変化する。
【００３７】
上記の蛇腹管３５が、合流搬送路に相当する供給ホース３３の下端部と下部筒４３ｂの下端部とが接続される合流搬送路を構成するものであり、直管状の内管３５Ａとその外側に位置する蛇腹状の外管３５Ｂとで構成されている。
内管３５Ａの内径Ｄ３は、供給ホース３３の下端部の内径Ｄ１、及び下部筒４３ｂの下端部の内径Ｄ２よりも大きな径に形成されており、外管３５Ｂは下側ほど径の大きくなる円錐状の蛇腹によって構成されている。
【００３８】
〔別実施形態の１〕
実施の形態では、施肥装置３の各供給ホース３３と下部筒４３ｂの下端側との接続箇所を、苗のせ台２０の下側に相当する位置とした構造のものを例示したが、これに限られるものではない。例えば、図示しないが、苗のせ台２０の仕切り部２０ｂを、施肥装置３の供給ホース３３が貫通する、もしくは施薬装置４の下部筒４３ｂが貫通する状態で設け、苗のせ台２０の前側、もしくは後側で合流するように接続したものであってもよい。
この場合、苗のせ台２０の横移動に伴う貫通箇所の横移動は、供給ホース３３や下部筒４３ｂの可撓性によって許容できるように、供給ホース３３や下部筒４３ｂに横移動可能な機能を備えさせておくとよい。
その他の構成は、前述した実施形態と同様の構成を採用すればよい。
【００３９】
〔別実施形態の２〕
実施の形態では、施肥装置３の肥料タンク３０を自走車体１に搭載した構造のものを例示したが、これに限られるものではない。例えば、図示しないが、肥料タンク３０を苗のせ台２０の前側で、苗植付装置２もしくはリンク機構１２に搭載するなどしてもよい。
また、施肥装置３の肥料タンク３０ではなく、施薬装置４の薬剤タンク４０を苗のせ台２０の前側で、自走車体１に搭載、あるいは苗植付装置２もしくはリンク機構１２に搭載するなどしてもよい。
その他の構成は、前述した実施形態と同様の構成を採用すればよい。
【００４０】
〔別実施形態の３〕
実施の形態では、粉粒体埋入手段としての作溝器３４を、整地用フロート２７に取り付けた構造のものを例示したがこれに限られるものではない。例えば作溝器３４を苗植付装置２の固定部である横フレーム２２、あるいは伝動ケース２３に対して取り付けるように構成してもよい。
その他の構成は、前述した実施形態と同様の構成を採用すればよい。
【００４１】
〔別実施形態の４〕
実施の形態では、粉粒体埋入手段としての作溝器３４と合流搬送路としての蛇腹管３５とが、上下に区分された状態に構成した構造のものを例示したが、このような構造に限られるものではない。
例えば、作溝器３４の内部に合流搬送路としての蛇腹管３５が入り込む状態に配置して、作溝器３４と蛇腹管３５とが上下方向で重複するように構成してもよい。この場合、作溝器３４と蛇腹管３５とが、粉粒体埋入手段であるとともに合流搬送路としての機能をも有する。
その他の構成は、前述した実施形態と同様の構成を採用すればよい。
【００４２】
〔別実施形態の５〕
実施の形態では、共通の粉粒体埋入手段で埋入させる複数種の粉粒体として、肥料と病虫害防除用薬剤とを用いた例を示したが、これに限られるものではない。例えば、肥料に代えて薬剤と別種の薬剤とを複数種の粉粒体として用いたもの、あるいは、肥料と別の種類の肥料とを複数種の粉粒体として用いたものであっても差し支えない。
その他の構成は、前述した実施形態と同様の構成を採用すればよい。
【産業上の利用可能性】
【００４３】
本発明は、４条用の苗植付装置２を備えた田植機の他、５条以上の苗植付装置２を備えた田植機、あるいは、２条、又は３条用の田植機にも利用可能である。
【符号の説明】
【００４４】
１          自走車体
２          苗植付装置
３          施肥装置（第１粉粒体供給装置）
４          施薬装置（第２粉粒体供給装置）
２０        苗のせ台
２７        整地用フロート
３０        肥料タンク
３１        繰出機構
３２        送風装置
３３        供給ホース（第１搬送路）
３４        作溝器（薬剤埋入手段）
３５        蛇腹管（合流搬送路）
４０        薬剤タンク
４１        薬剤繰り出し部
４３        薬剤供給筒（第２搬送路）
【図１】
2015112072.tif 000003
【図２】
2015112072.tif 000004
【図３】
2015112072.tif 000005
【図４】
2015112072.tif 000006
【図５】
2015112072.tif 000007
【図６】
2015112072.tif 000008